(57)【要約】【課題】  本発明の目的は、スピーカ一体型ディスプレイで発生するビリ音を軽減することのできるエキサイタ保持構造を有するスピーカ一体型ディスプレイを提供することである。【解決手段】  本発明に係わるスピーカ一体型ディスプレイでは、振動子により加振される周波数に対応する歪みを発生させることにより音声情報を出力する板状部材（スピーカ）を、筐体で外装される画像情報を表示するための表示モジュールの前面に対向するように配置して、振動子を筐体から独立させて支持する。当該構造により、振動子からの振動が筐体に伝導することを防止する。これにより、主として振動子と筐体との間で発生するビリ音を抑制する。【選択図】  図７
2006254381.tif 000002
【特許請求の範囲】
【請求項１】
筐体と、
前記筐体により外装された表示モジュールと、
振動子と、
前記振動子により振動される板状部材と
を具備し、
前記板状部材は、前記表示モジュールの表示面と対向するように前記筐体から離して配置され、
前記板状部材と前記筐体とは、第一緩衝部材を介して接続されるスピーカ一体型ディスプレイ。
【請求項２】
請求項１に記載のスピーカ一体型ディスプレイにおいて、
前記表示モジュールと前記板状部材との面積は概ね等しいスピーカ一体型ディスプレイ。
【請求項３】
請求項１または２に記載のスピーカ一体型ディスプレイにおいて、
前記板状部材の、前記表示面に対向する領域は透明であるスピーカ一体型ディスプレイ。
【請求項４】
請求項１から３までの少なくとも一項に記載のスピーカ一体型ディスプレイにおいて、
前記表示モジュールは、前記筐体である前面外装カバーにより外装され、
前記板状部材と前記振動子とは、固定部材に対してそれぞれ第二緩衝部材と第三緩衝部材とを介して固定され、
前記振動子は、前記固定部材により、前記前面外装カバーに対して独立に支持されるスピーカ一体型ディスプレイ。
【請求項５】
請求項４に記載のスピーカ一体型ディスプレイにおいて、
前記振動子は、前記板状部材の前記表示面に対向する領域の外縁部に位置され、
前記前面外装カバーは、前記振動子に対向する位置に開口部を有し、
前記振動子および前記固定部材が前記開口部に接触せずに貫入することにより、前記板状部材は、前記表示モジュールの表示面と対向するように前記筐体から離して配置される
スピーカ一体型ディスプレイ。
【請求項６】
請求項１から５までの少なくとも一項に記載のスピーカ一体型ディスプレイにおいて、
前記第一緩衝部材は、前記振動子の配設される位置の外縁部に環状に配設される
スピーカ一体型ディスプレイ。
【請求項７】
請求項１から６までの少なくとも一項に記載のスピーカ一体型ディスプレイにおいて、
前記振動子はエキサイタである
スピーカ一体型ディスプレイ。
【請求項８】
請求項１から７までの少なくとも一項に記載のスピーカ一体型ディスプレイにおいて、
前記板状部材はアクリルパネルである
スピーカ一体型ディスプレイ。
【請求項９】
請求項１から８までの少なくとも一項に記載のスピーカ一体型ディスプレイにおいて、
前記第一緩衝部材と前記第二緩衝部材と前記第三緩衝部材とはポリウレタン発泡体である
スピーカ一体型ディスプレイ。
【請求項１０】
請求項１から９までの少なくとも一項に記載のスピーカ一体型ディスプレイにおいて、
前記表示モジュールは液晶画面を有する
スピーカ一体型ディスプレイ。
【請求項１１】
請求項６から１０までの少なくとも一項に記載のスピーカ一体型ディスプレイにおいて、
前記第一緩衝部材は、前記振動子の配設される位置の外縁部に換わって、前記振動子の配設される位置の内縁部に環状に配設される
スピーカ一体型ディスプレイ。
【請求項１２】
請求項５から１１までの少なくとも一項に記載のスピーカ一体型ディスプレイにおいて、
前記前面外装カバーは、前記振動子に対向する位置に、前記開口部に換わって凹部を有し、
前記振動子および前記固定部材が前記凹部に接触しないように挿入されることにより、前記板状部材は、前記表示モジュールの表示面と対向するように前記筐体から離して配置されるスピーカ一体型ディスプレイ。
【請求項１３】
請求項４から１２までの少なくとも一項に記載のスピーカ一体型ディスプレイにおいて、
前記振動子と前記板状部材とは、前記第二緩衝部材を介さずに直接固定されるスピーカ一体型ディスプレイ。
【請求項１４】
振動子により振動される板状部材を、表示モジュールを外装する筐体に対して独立に支持するステップと、
前記板状部材を、前記表示モジュールの表示面と対向するように前記筐体から離して配置するステップと、
前記板状部材と前記筐体とを、前記第一緩衝部材を介して接続するステップと
を具備するスピーカ一体型ディスプレイの組立方法。
【請求項１５】
請求項１４に記載のスピーカ一体型ディスプレイの組立方法において、
前記支持するステップは、前記表示モジュールを前記筐体である前面外装カバーにより外装する外装ステップと、
前記板状部材を固定部材に第二緩衝部材を介して固定する第一固定ステップと、
前記振動子を前記固定部材に第三緩衝部材を介して固定する第二固定ステップと、
前記固定部材により、前記振動子および前記板状部材を前記前面外装カバーに対して独立に支持する独立支持ステップと
を具備するスピーカ一体型ディスプレイの組立方法。
【請求項１６】
請求項１４または１５に記載のスピーカ一体型ディスプレイの組立方法において、
前記板状部材を、前記表示モジュールの表示面と対向するように前記筐体から離して配置するステップの前に、
前記振動子および前記固定部材を、前記前面外装カバーの前記振動子と対向する位置に設けられた開口部に接触せずに貫入する貫入ステップを具備するスピーカ一体型ディスプレイの組立方法。
【請求項１７】
請求項１４から１６までの少なくとも一項に記載のスピーカ一体型ディスプレイの組立方法において、
前記板状部材と前記筐体とを、前記第一緩衝部材を介して接続するステップは、
前記前面外装カバーと前記板状部材との間の前記振動子の位置される外縁部に前記第一緩衝部材を環状に配設することにより、前記前面外装カバーと前記板状部材とを接続することである
スピーカ一体型ディスプレイの組立方法。
【請求項１８】
請求項１４から１６までの少なくとも一項に記載のスピーカ一体型ディスプレイの組立方法において、
前記板状部材と前記筐体とを、前記第一緩衝部材を介して接続するステップは、
前記前面外装カバーと前記板状部材との間の前記振動子の位置される内縁部に前記第一緩衝部材を環状に配設することにより、前記前面外装カバーと前記板状部材とを接続することである
スピーカ一体型ディスプレイの組立方法。
【請求項１９】
請求項１６から１８までの少なくとも一項に記載のスピーカ一体型ディスプレイの組立方法において、
前記前面外装カバーは、前記振動子と対向する位置に、前記開口部に換わって凹部を有し、
前記振動子および前記固定部材を、前記前面外装カバーの前記振動子と対向する位置に設けられた前記凹部に接触せずに挿入する挿入ステップを具備するスピーカ一体型ディスプレイの組立方法。
【請求項２０】
請求項１５から１９までの少なくとも一項に記載のスピーカ一体型ディスプレイの組立方法において、
前記振動子と前記板状部材とを、前記第二緩衝部材を介さずに直接固定する直接固定ステップを具備する
スピーカ一体型ディスプレイの組立方法。
【発明の詳細な説明】
【技術分野】
【０００１】
本発明は、スピーカ一体型ディスプレイに関し、特にスピーカ一体型ディスプレイで発生するビリ音の軽減を実現するための構造を有するスピーカ一体型ディスプレイに関する。
【背景技術】
【０００２】
従来のスピーカ一体型ディスプレイのスピーカでは、英国ＮＸＴ社保有の特許技術（ＷＯ００／０２４１７、ＷＯ９９／３７１２１、ＷＯ９９／５２３２２）に基づいて、表示画面を保護しているフラットで透明なパネル板をスピーカの振動板として機能させ、音源と映像とを空間的に一致させることにより高い臨場感を実現している。上記技術に係わる従来のスピーカ一体型ディスプレイを図１に示す。図１に示される従来のスピーカ一体型ディスプレイ５０は、筐体の一部である前面外装カバー５により外装される表示モジュール６と、透明パネル板１とを備えている。表示モジュール６を保護するフラットな透明パネル板１の左右両端には、マグネット部とボイスコイル部２０とを有するエキサイタ２が各１個ずつ、合計２個取り付けられる。そして、透明パネル板１は、発泡体クッション３を、エキサイタ２は発泡体クッション４をそれぞれ介して前面外装カバー５へ取り付けられる。前面外装カバー５は、表示モジュール６（例：液晶モジュール）の画面表示範囲に合わせて開口部を備えており、開口部に画面表示範囲が一致するように、前面外装カバー５は表示モジュール６に対して固定されている。防塵ネット７は、前面外装カバー５にエキサイタ２および透明パネル板１を固定させるために前面外装カバー５に設けられた開口部から、表示モジュール６の画面表示範囲に埃等の異物混入を防ぐためのものである。従来のスピーカ一体型ディスプレイ５０においては、前面外装カバー５をスピーカのフレームとして機能させており、さらに、広面積かつ重量のある透明パネル板１を振動体として用いているため、通常のコーン紙を振動体として用いるスピーカを搭載したディスプレイと比較し振動レベルが高く、ディスプレイ装置へのビリ音（装置構成部品の共鳴音、あるいは部品間の打ち合いによる異音）対策が必要である。このため、開発日数の短縮、コストの低減、製造性・信頼性の向上が求められている。
【０００３】
従来のスピーカ一体型ディスプレイ５０における一般的なビリ音対策を、図２〜図５を用いて説明する。図２は、図１に示される従来のスピーカ一体型ディスプレイ５０のエキサイタ２装着部分を、表示画面に対して垂直向きの平面で切った断面を示す。エキサイタ２は、透明パネル板１と前面外装カバー５の間に実装され、発泡体クッション４を介して前面外装カバー５に取り付けられている。エキサイタ２のボイスコイル部２０は、透明パネル板１に取り付けられて透明パネル板１を加振する。図３は、従来のスピーカ一体型ディスプレイ５０全体の断面図である。表示モジュール６と制御基板８とは、それぞれ表示モジュールシャーシ９と制御基板シャーシ１０とによりシールドされる。表示モジュール６と制御基板８とは、それぞれ前面外装カバー５と背面外装カバー１１とにより覆われ、透明パネル板１は前面外装カバー５の前面に取り付けられる。そして、前面外装カバー５と背面外装カバー１１とは、スタンド部１２に固定されて支持される。
【０００４】
図４は、図３のａ部を拡大して示している。前面外装カバー５と背面外装カバー１１の嵌合部分には、ビリ音対策部品としてクッションシート１３が挟まれる。また、前面外装カバー５の表示モジュール６との当て付け部分１４には、ビリ音対策部品としてクッションシート１５が挟まれる。図５は、図３のｂ部を拡大して示している。制御基板シャーシ１０の表示モジュールシャーシ９への当て付け部分には、対策部品としてクッションシート１６が挟まれる。また、表示モジュール６の背面は薄手のシールド用金属板で構成されており、この振動を抑制するために、表示モジュール６と表示モジュールシャーシ９との間にクッションブロック１７が挟入される。
【０００５】
上記した一般的なビリ音対策は一例である。表示モジュール６として液晶を用いる場合は、光学特性などの機能確保のため液晶モジュール内部にがたつきを持たせた設計をしており、ビリ音対策を施すことの出来ない箇所が存在することもある。このように、ビリ音対策を実施するには装置コストや製造性に影響を与えるばかりか、その対策評価に膨大な時間を必要とする。さらに、ビリ音対策の実施と同時に品質確保が求められる。
【０００６】
上記した技術に関連して、以下に示すような技術が提案されている。
【０００７】
特開２０００−３４１７９３号公報で開示されている「密閉箱型平面スピーカ」では、前面が開口する四角箱状のスピーカ筺体と、該スピーカ筺体の前面開口部よりも若干小さな平板状の振動板と、該振動板の周縁部を前記スピーカ筺体の開口部周縁に連結して該スピーカ筺体を密閉する四角枠状のダンパと、外部磁界を受けて磁界印加方向とほぼ直交する方向に磁歪変形する薄板状の磁歪素子の外周に励磁コイルを巻回してスピーカ筺体内に配設され、振動板を振動駆動する磁歪スピーカドライバとを具備する密閉箱型平面スピーカが提案されている。
【０００８】
また、特開２００１−１８９９７８号公報で開示されている「パネル型スピーカ」では、磁気回路とボイスコイルとを含むエキサイターと、このエキサイターによって励振される平板状の振動板とを備えた振動モード（ＤＭ）方式のパネル型スピーカであって、振動板は表示装置の表示面を覆う光学フィルタを兼ねたパネル型スピーカが提案されている。
【０００９】
また、特表２００２−５１０１８２号公報で開示されている「パネル部材を備えた能動音響機器」では、パネル部材に連結されたトランスデューサ手段と連携して音響性能を決定する撓み波作用の共振モードの分布を有するパネル部材を備えた能動音響機器において、トランスデューサ手段がパネル部材の周縁位置に配置され、その配置により能動的な前記共振モードの分布に依存する音響的に満足できる作用が生じるようになっている能動音響機器が提案されている。
【００１０】
また、特表２００２−５１１６８１号公報で開示されている「音響装置」では、対向した表面を有する共振マルチモード音響パネル、及びパネルの一方の少なくとも一部を取り囲む空洞部を規定するとともに、パネル表面の一部からの音響放射を抑制するように配置された手段を備え、空洞部がパネルのモード特性を変更することができるようにした音響装置が提案されている。
【００１１】
また、特表２００２−５３３９５７号公報で開示されている「共振パネル形状ラウドスピーカ」では、可視表示スクリーンと、表示スクリーンに隣接して配置され少なくとも部分的に透明であり、その部分を通して表示スクリーンを見ることができる共振パネル形状部材と、パネル部材を駆動して共振させて音響ラジエータとして作用させる振動励振手段とを備えるラウドスピーカ駆動ユニットが提案されている。
【００１２】
【特許文献１】ＷＯ００／０２４１７号公報
【特許文献２】ＷＯ９９／３７１２１号公報
【特許文献３】ＷＯ９９／５２３２２号公報
【特許文献４】特開２０００−３４１７９３号公報
【特許文献５】特開２００１−１８９９７８号公報
【特許文献６】特表２００２−５１０１８２号公報
【特許文献７】特表２００２−５１１６８１号公報
【特許文献８】特表２００２−５３３９５７号公報
【発明の開示】
【発明が解決しようとする課題】
【００１３】
本発明の目的は、スピーカ一体型ディスプレイで発生するビリ音の軽減を実現するための構造を有するスピーカ一体型ディスプレイを提供することである。
【課題を解決するための手段】
【００１４】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１５】
本発明のスピーカ一体型ディスプレイ（１００）は、筐体（５）と、筐体により外装された表示モジュール（６）と、振動子（２）と、振動子により振動される板状部材（１）とを備え、板状部材は、表示モジュールの表示面と対向するように筐体から離して配置され、板状部材と筐体とは、第一緩衝部材（３）を介して接続される。
【００１６】
また、本発明のスピーカ一体型ディスプレイ（１００）において、表示モジュール（６）と板状部材との面積は概ね等しい。
【００１７】
また、本発明のスピーカ一体型ディスプレイ（１００）における、板状部材（１）の、表示面に対向する領域は透明である。
【００１８】
また、本発明のスピーカ一体型ディスプレイ（１００）において、表示モジュール（６）は、筐体である前面外装カバー（５）により外装され、板状部材（１）と振動子（２）とは、固定部材（１８）に対してそれぞれ第二緩衝部材（１９）と第三緩衝部材（４）とを介して固定され、振動子は、固定部材により、前面外装カバーに対して独立に支持される。
【００１９】
また、本発明のスピーカ一体型ディスプレイ（１００）における振動子（２）は、板状部材（１）の表示面に対向する領域の周縁部に位置され、前面外装カバー（５）は、振動子に対向する位置に開口部（１２）を有し、振動子および固定部材（１８）が開口部に接触せずに貫入することにより、板状部材は、表示モジュール（６）の表示面と対向するように筐体から離して配置される。
【００２０】
また、本発明のスピーカ一体型ディスプレイ（１００）において、第一緩衝部材（３）は、振動子（２）の配設される位置の外縁部に環状に配設される。
【００２１】
また、本発明のスピーカ一体型ディスプレイ（１００）において、振動子はエキサイタ（２）である。
【００２２】
また、本発明のスピーカ一体型ディスプレイ（１００）において、板状部材（１）はアクリルパネルである。
【００２３】
また、本発明のスピーカ一体型ディスプレイにおいて、第一緩衝部材（３）と第二緩衝部材（１９）と第三緩衝部材（４）とはポリウレタン発泡体である。
【００２４】
また、本発明のスピーカ一体型ディスプレイ（１００）において、表示モジュール（６）は液晶画面を有する。
【００２５】
また、本発明のスピーカ一体型ディスプレイ（２００）において、第一緩衝部材（３）は、振動子（２）の接続される位置の外縁部に換わって、振動子の配設される位置の内縁部に環状に配設される。
【００２６】
また、本発明のスピーカ一体型ディスプレイ（３００）における前面外装カバー（５）は、振動子に対向する位置に、開口部に換わって凹部（２５）を有し、振動子および固定部材（１８）が凹部に接触しないように挿入されることにより、板状部材は、表示モジュール（６）の表示面と対向するように筐体から離して配置される。
【００２７】
また、本発明のスピーカ一体型ディスプレイ（４００）における振動子（２）と板状部材（１）とは、第二緩衝部材（１９）を介さずに直接固定される。
【００２８】
また、本発明におけるスピーカ一体型ディスプレイの組立方法は、振動子（２）により振動される板状部材（１）を、表示モジュール（６）を外装する筐体（５）に対して独立に支持するステップと、板状部材を、表示モジュールの表示面と対向するように筐体から離して配置するステップと、板状部材と筐体とを、第一緩衝部材（３）を介して接続するステップとを備える。
【００２９】
また、本発明のスピーカ一体型ディスプレイの組立方法における支持するステップは、表示モジュール（６）を筐体である前面外装カバー（５）により外装する外装ステップと、板状部材（１）を固定部材（１８）に第二緩衝部材（１９）を介して固定する第一固定ステップと、振動子（２）を固定部材に第三緩衝部材（４）を介して固定する第二固定ステップと、固定部材により、振動子および板状部材を前面外装カバーに対して独立に支持する独立支持ステップとを備える。
【００３０】
また、本発明のスピーカ一体型ディスプレイの組立方法は、板状部材（１）を、表示モジュール（６）の表示面と対向するように筐体から離して配置するステップの前に、振動子（２）および固定部材（１８）を、前面外装カバー（５）の振動子と対向する位置に設けられた開口部（１２）に接触せずに貫入する貫入ステップを備える。
【００３１】
また、本発明のスピーカ一体型ディスプレイの組立方法において、板状部材（１）と筐体とを、第一緩衝部材（３）を介して接続するステップは、前面外装カバー（５）と板状部材との間の振動子（２）の位置される外縁部に第一緩衝部材を環状に配設することにより、前面外装カバーと板状部材とを接続することである。
【００３２】
また、本発明のスピーカ一体型ディスプレイの組立方法において、板状部材（１）と筐体とを、第一緩衝部材（３）を介して接続するステップは、前面外装カバー（５）と板状部材との間の振動子（２）の位置される内縁部に第一緩衝部材を環状に配設することにより、前面外装カバーと板状部材とを接続することである。
【００３３】
また、本発明のスピーカ一体型ディスプレイの組立方法において、前面外装カバー（５）は、振動子（２）と対向する位置に、開口部に換わって凹部（２５）を有し、振動子および固定部材（１８）を、前面外装カバーの振動子と対向する位置に設けられた凹部に接触せずに挿入する挿入ステップを備える。
【００３４】
また、本発明のスピーカ一体型ディスプレイの組立方法は、振動子（２）と板状部材（１）とを、第二緩衝部材（１９）を介さずに直接固定する直接固定ステップを備える。
【発明の効果】
【００３５】
本発明により、スピーカ一体型ディスプレイで発生するビリ音を軽減することのできるエキサイタ保持構造を有するスピーカ一体型ディスプレイを提供することができる。
【発明を実施するための最良の形態】
【００３６】
添付図面を参照して、本発明によるスピーカ一体型ディスプレイを実施するための最良の形態を以下に説明する。
【００３７】
本発明に係わるスピーカ一体型ディスプレイでは、振動子であるエキサイタにより加振される周波数に対応する歪みを発生させることにより音声情報を出力する板状部材を、筐体で外装される画像情報を表示するための表示モジュールの前面に対向するように配置して、振動子であるエキサイタと筐体とをそれぞれ独立に支持する。当該構造により、スピーカとして機能する板状部材およびエキサイタの振動が筐体と共鳴する、あるいは接触音を発生させることを防止する。これにより、板状部材（スピーカ）およびエキサイタなどの振動体と、表示モジュールを外装する筐体との間で発生するビリ音が抑制される。
【００３８】
本発明においては、振動子および板状部材の保持機能を、筐体である前面外装カバーとは別の部品で行うことにより、振動源である振動子および板状部材を筐体である前面外装カバーと切り離す事により課題を解決する。
【００３９】
（実施の形態１）
図６に、本発明の実施の形態１に係わるスピーカ一体型ディスプレイの分解状態の斜視図を示す。本実施の形態のスピーカ一体型ディスプレイ１００は、画像情報を表示するための表示モジュール６と、振動子の一種であるエキサイタ２と、エキサイタ２により加振される周波数に対応する歪みを発生させることにより音声情報を出力する透明パネル１とを備えている。表示モジュール６は、筐体である前面外装カバー５により外装される。前面外装カバー５における、表示モジュール６の表示画面に対応する部分には、表示画面の面積に対応した開口部が設けられ、この開口部と表示モジュールの表示部とが一致するように前面外装カバー５が表示モジュール６を外装する。透明パネル１は、前面外装カバー５の前面に分離して配置される。透明パネル１には、前面外装カバー５と概ね同じ対向面積を有し、表示モジュール６の表示画面に対向する部分は透明であるアクリルパネルが適用される。エキサイタ２は、発泡体クッション４を介して固定ピース１８に固定される。また、透明パネル板１は発泡体クッション１９を介して固定ピース１８に固定される。発泡体クッションの素材としては、密なポリウレタン発泡体が適している。エキサイタ２は、透明パネル１の上記表示画面に対向する領域の周縁部の左右にそれぞれ１つずつ位置されるように、固定ピース１８で支持される。このとき、エキサイタ２を構成するボイスコイル部２０は、透明パネル板１に接触し、このボイスコイル部による透明パネル板１の加振が、透明パネル板１をスピーカとして機能させる。
【００４０】
また、発泡体クッション３が、透明パネル１と前面外装カバー５との間の、エキサイタ２配設位置よりもさらに外縁部に環状に挟入される。そして、発泡体クッション３により、透明パネル１と前面外装カバー５とが接続される。前面外装カバー５は、エキサイタ２に対向する位置に開口部１２を有し、透明パネル１と前面外装カバー５とが接続されるときに、エキサイタ２および固定ピース１８が開口部１２に貫入することにより、透明パネル１は表示モジュール６の前面に発泡体クッション３を介すのみで分離して配置される。このとき、開口部１２の表示モジュール側には、異物混入を防ぐための防塵ネット７が貼り付けられる。これにより、透明パネル１が表示モジュール６の保護カバーの役割をすると伴に、スピーカとして機能する。
【００４１】
（実施の形態１の動作原理）
図７により、本実施の形態に係わるスピーカ一体型ディスプレイ１００の動作原理を説明する。図７は、本実施の形態におけるエキサイタ２配置位置付記の表示モジュール６の表示画面に対して垂直方向の断面を拡大して示したものである。本実施の形態に係わるスピーカ一体型ディスプレイ１００が起動すると、表示モジュール６の表示画面には、受信画像情報に基づく画像が表示される。また、同時にエキサイタ２には、上記受信画像情報に対応する音声信号が入力され、音声信号に対応する周波数の振動が発生する。エキサイタ２に誘起される振動は、透明パネル１を加振する。透明パネル１は、加振される周波数に対応した歪みを形成することにより、上記音声信号を音として再生してスピーカとして機能する。エキサイタ２のボイスコイル部２０で発生した振動が前面外装カバー５へ伝わる経路として、図２に示される従来のスピーカ一体型ディスプレイ５０においては、発泡体クッション４を介して伝播する経路と透明パネル板１の振動が発泡体クッション３を介して伝播する経路との２つ存在していた。本実施の形態においては、エキサイタ２が固定ピースにより支持されることにより、筐体である前面外装カバーと切り離された支持構造となる。これにより、エキサイタ２のボイスコイル部２０で発生した振動が前面外装カバー５へ伝わる経路として、透明パネル板１から発泡体クッション３を介して伝播する経路の１つのみとなる。この結果、透明パネル板１およびエキサイタ２と、表示モジュール６の前面外装カバー５を含めた本実施の形態に係わるスピーカ一体型ディスプレイ１００の筐体との間で生じていたビリ音が飛躍的に低減される。
【００４２】
本実施の形態においては、エキサイタ２から前面外装カバー５への振動伝播経路の削減により筐体の振動レベルが低下し、ビリ音対策が不要になる。これにより、ビリ音対策用の部品点数を大幅に減らすことが可能となり、部品購入コストの低減および製造コストの低減が実現される。
【００４３】
また、本実施の形態においては、振動源からの伝播経路を削減し、装置の振動自体を低減することが可能となるため、共鳴音や異音そのものの発生を減らしクリアな音響特性を得ることができ、かつ安定した品質確保が容易に行える。
【００４４】
また、本実施の形態（スピーカ一体型ディスプレイのエキサイタ保持構造）においては、透明パネル板１を発泡体クッション３にて固定することにより、適切な振動モードを得ることが可能となり、優れた音響特性が得られる。
【００４５】
また、本実施の形態においては、ビリ音の根本的な原因となる振動源から前面外装カバー５を含めた筐体への伝播経路が削減されることにより、ビリ音を低減するために費やされる評価／対策検討時間および費用が大幅に削減できる。
【００４６】
このように、本実施の形態においては、製品の品質向上、生産効率の向上、および信頼性の向上が実現される。
【００４７】
（実施の形態２）
本発明の実施の形態２に係わるスピーカ一体型ディスプレイ２００を図８に示す。本実施の形態におけるスピーカ一体型ディスプレイ２００の基本的な構成および動作原理は、実施の形態１のそれと同じでる。但し、本実施の形態においては、透明パネル板１を前面外装カバー５に固定するための発泡体クッション３の配設位置を、エキサイタ２配置位置よりも内縁側とする。
【００４８】
本実施の形態により、前面外装カバー５に取り付けられていた防塵ネット７が不要となる。これにより、実施の形態１の作用効果に加えて、さらに部品購入コストの低減および製造コストの低減が実現される。
【００４９】
（実施の形態３）
本発明の実施の形態３に係わるスピーカ一体型ディスプレイ３００を図９に示す。本実施の形態におけるスピーカ一体型ディスプレイ３００の基本的な構成および動作原理は、実施の形態１のそれと同じでる。但し、本実施の形態においては、前面外装カバー５の固定ピース１８周辺の形状を、実施の形態１または２に示される開口部１２ではなく、凹部２５とする。
【００５０】
本実施の形態においても、前面外装カバー５に取り付けられていた防塵ネット７が不要となる。これにより、実施の形態１の作用効果に加えて、さらに部品購入コストの低減および製造コストの低減が実現される。また、本実施の形態においては、凹部２５の形状（面積および深さ）を変えることにより、音響チューニングを実施することができる。
【００５１】
（実施の形態４）
本発明の実施の形態４に係わるスピーカ一体型ディスプレイ４００を図１０に示す。本実施の形態におけるスピーカ一体型ディスプレイ４００の基本的な構成および動作原理は、実施の形態１のそれと同じでる。但し、本実施の形態においては、透明パネル板１に対して発泡体クッション１９を介して固定していた固定ピース１８を、直接透明パネル板１に固定する。
【００５２】
本実施の形態により、発泡体クッション１９が不要となる。これにより、実施の形態１の作用効果に加えて、さらに部品購入コストの低減および製造コストの低減が実現される。
【００５３】
実施の形態１から４までにおいては、振動板として透明パネル板１を用いた場合の事例を記述してきたが、振動板が透明ではないパネル板で構成されるフラットタイプのスピーカ全般に対しても、本発明の実施の形態１から４までに説明した構造が適用可能である。
【図面の簡単な説明】
【００５４】
【図１】従来のスピーカ一体型ディスプレイを分解した構成を示す図である。
【図２】従来のスピーカ一体型ディスプレイのエキサイタ断面を含む図である。
【図３】従来のスピーカ一体型ディスプレイの表示面に対して垂直方向の断面を含む図である。
【図４】図３のａ部付近を拡大して示した図である。
【図５】図３のｂ部付近を拡大して示した図である。
【図６】実施の形態１に係わるスピーカ一体型ディスプレイを分解した構成を示す図である。
【図７】実施の形態１に係わるスピーカ一体型ディスプレイのエキサイタ断面を含む図である。
【図８】実施の形態２に係わるスピーカ一体型ディスプレイを分解した構成を示す図である。
【図９】実施の形態３に係わるスピーカ一体型ディスプレイのエキサイタ断面を含む図である。
【図１０】実施の形態４に係わるスピーカ一体型ディスプレイのエキサイタ断面を含む図である。
【符号の説明】
【００５５】
１…透明パネル板
２…エキサイタ
３、４、１９…発泡体クッション
５…前面外装カバー
６…表示モジュール
７…防塵ネット
８…制御基板
９…表示モジュールシャシ
１０…制御基板シャシ
１１…背面外装カバー
１２…開口部
１３…クッションシート
１４…当て付け部分
１５、１６…クッションシート
１７…クッションブロック
１８…固定ピース
２５…凹部
２０…ボイスコイル部
５０…従来のスピーカ一体型ディスプレイ
１００、２００，３００、４００…スピーカ一体型ディスプレイ
【図１】
2006254381.tif 000003
【図２】
2006254381.tif 000004
【図３】
2006254381.tif 000005
【図４】
2006254381.tif 000006
【図５】
2006254381.tif 000007
【図６】
2006254381.tif 000008
【図７】
2006254381.tif 000009
【図８】
2006254381.tif 000010
【図９】
2006254381.tif 000011
【図１０】
2006254381.tif 000012